(57)【特許請求の範囲】
【請求項１】
コンベヤベルトモジュールにおいて、前記コンベヤベルトモジュールが、
モジュール本体であって、
第１の面および反対側の第２の面と、
前記第１の面にソケットの開口部を画定する壁と、
前記第１の面側の前記ソケットの開口部における前記ソケットの周りのリムであって、レッジを形成するリムとを具えるモジュール本体と、
アクセサリであって、
前記モジュール本体の第１の面から前記ソケットと嵌合するように寸法決めされたプラグであって、軸の周りに第１の端部と第２の端部との間に外面を有するプラグと、
前記プラグの前記第１の端部から外向きに延在する付属器とを具えるアクセサリと、
前記プラグおよび前記壁の上に第１の協働構造によって形成されたガイド機構であって、前記プラグがツイスト角だけ回転されるときに、前記プラグを前記ソケット内に完全に挿入されてロックされた位置へとガイドするガイド機構と、
前記プラグおよび前記レッジの上に第２の協働構造によって形成されたロック機構であって、前記プラグを前記ソケット内に完全に挿入されてロックされた位置で固定するロック機構と、を具え、
前記プラグ上の第２の協働構造が、前記プラグ上の第１の協働構造とは異なるものであることを特徴とするコンベヤベルトモジュール。
【請求項２】
請求項１に記載のコンベヤベルトモジュールにおいて、前記ガイド機構の前記第１の協働構造が、
（ａ１）前記プラグの外面に形成されており、前記プラグの前記第２の端部の入口から前記第１の端部に向かって外面の周りに延在する凹状軌道と、
（ｂ１）前記モジュール本体の壁から前記ソケット内へと半径方向内側に延在する突起と、を具えるか、または、
（ａ２）前記モジュール本体の壁に形成されており、前記モジュール本体の前記第１の面の入口から前記第２の面に向かって前記壁の周りに延在する凹状軌道と、
（ｂ２）前記プラグの外面から半径方向外側に延在する突起と、
を具えることを特徴とするコンベヤベルトモジュール。
【請求項３】
請求項１に記載のコンベヤベルトモジュールにおいて、前記ガイド機構の前記第１の協働構造が、
（ａ１）前記モジュール本体の壁から前記ソケット内へと半径方向内側に延在する突出部と、
（ｂ１）前記プラグの外面に形成されたくの字形スロットであって、前記くの字形スロットが、前記プラグの前記第２の端部の入口から終端部分へと前記第１の端部に向かって延在する頭部分を有し、前記終端部分が、前記入口に対して円周方向にオフセットした盲端まで延在する、くの字形のスロットと、を具えるか、または、
（ａ２）前記プラグの外面から半径方向外側に延在する突出部と、
（ｂ２）前記モジュール本体の壁に形成されたくの字形スロットであって、前記くの字形スロットが、前記モジュール本体の前記第１の面の入口から終端部分へと前記第２の面に向かって延在する頭部分を有し、前記終端部分が、前記入口に対して円周方向にオフセットした盲端まで延在する、くの字形のスロットと、を具えており、
前記スロットの頭部分への入口を前記突出部と整列させ、前記突出部が前記頭部分に受け入れられた状態で、前記突出部が前記スロットの終端部分に受け入れられるまで、前記プラグを前記ソケット内へと深く押し込み、その後、前記突出部が完全に挿入およびロックされて前記スロットの終端部分の前記盲端に位置するように、前記軸を中心に前記プラグを前記ツイスト角だけ回転させることによって、前記プラグが前記ソケット内に挿入されることを特徴とするコンベヤベルトモジュール。
【請求項４】
請求項１に記載のコンベヤベルトモジュールにおいて、前記ロック機構の前記第２の協働構造が、前記プラグの前記第１の端部における前記外面から半径方向外側にかつ前記第２の端部に向けて下方に延在するタブと、前記プラグが前記ソケットに完全に挿入されるときに前記タブと係合する前記レッジ上の戻り止めであって、前記タブに対して、完全に挿入されてロックされた位置と、前記アクセサリを前記モジュール本体から取り外すことができるように、突出部がスロットの入口と整列しているロック解除位置との２つの位置を提供する戻り止めと、を具えることを特徴とするコンベヤベルトモジュール。
【請求項５】
請求項４に記載のコンベヤベルトモジュールにおいて、前記戻り止めが、隆起によって隔てられた第１の窪みおよび第２の窪みを前記レッジに含み、前記隆起が、前記第１の窪みから延びる傾斜面と、前記傾斜面から前記第２の窪みへと延びる急勾配面とを有することを特徴とするコンベヤベルトモジュール。
【請求項６】
請求項１に記載のコンベヤベルトモジュールにおいて、前記ロック機構の前記第２の協働構造が、前記レッジから上方に延在するタブと、前記プラグが前記ソケット内に完全に挿入されるときに前記タブと係合する、前記プラグの前記第１の端部にある戻り止めであって、前記タブに対して、完全に挿入されてロックされた位置と、前記アクセサリを前記モジュール本体から取り外すことができるように、突出部がスロットの入口と整列しているロック解除位置との２つの位置を提供する戻り止めと、を具えることを特徴とするコンベヤベルトモジュール。
【請求項７】
請求項６に記載のコンベヤベルトモジュールにおいて、前記戻り止めが、隆起によって隔てられた第１の窪みおよび第２の窪みを前記プラグの前記第１の端部に含み、前記隆起が、前記第１の窪みから延びる傾斜面と、前記傾斜面から前記第２の窪みへと延びる急勾配面とを有することを特徴とするコンベヤベルトモジュール。
【請求項８】
請求項３に記載のコンベヤベルトモジュールにおいて、前記アクセサリがさらに、前記終端部分の端部に対して前記突出部を固定するために、前記スロットの終端部分に戻り止めを具えることを特徴とするコンベヤベルトモジュール。
【請求項９】
請求項３に記載のコンベヤベルトモジュールがさらに、複数の突出部および複数のくの字形スロットを具えることを特徴とするコンベヤベルトモジュール。
【請求項１０】
請求項１に記載のコンベヤベルトモジュールにおいて、前記アクセサリがさらに、前記プラグの前記第１の端部にベースを具えており、前記ソケット内に前記プラグが完全に挿入されてロックされたとき、前記ベースが前記リム上にあることを特徴とするコンベヤベルトモジュール。
【請求項１１】
請求項２に記載のコンベヤベルトモジュールにおいて、前記凹状軌道が、螺旋状の雌ねじを具え、突出部が、螺旋状の雄ねじの山を具えることを特徴とするコンベヤベルトモジュール。
【請求項１２】
請求項１に記載のコンベヤベルトモジュールにおいて、前記ソケットが、前記第２の面上で開口しており、前記プラグが前記ソケット内に完全に挿入されてロックされた位置にあるとき、前記プラグの前記第２の端部が、前記第２の面と同一平面上にあることを特徴とするコンベヤベルトモジュール。
【請求項１３】
請求項１に記載のコンベヤベルトモジュールにおいて、前記ソケットが、前記モジュール本体の側縁部に配置されることを特徴とするコンベヤベルトモジュール。
【請求項１４】
請求項１に記載のコンベヤベルトモジュールにおいて、前記モジュール本体が、ベルトの移動方向における第１端部および第２端部を有し、かつヒンジロッドを収容するために前記第１端部に沿ってヒンジアイを具えており、前記アクセサリが、前記プラグの外面に形成された凹部を具えており、前記プラグが完全に挿入されてロックされたときに、前記凹部が前記ヒンジアイと整列し、前記ヒンジロッドの端部を受け入れることを特徴とするコンベヤベルトモジュール。
【請求項１５】
請求項１に記載のコンベヤベルトモジュールにおいて、前記プラグの外面および前記ソケットの境界を定める壁が、円筒を規定することを特徴とするコンベヤベルトモジュール。
【請求項１６】
請求項１に記載のコンベヤベルトモジュールにおいて、前記付属器がサイドガードであることを特徴とするコンベヤベルトモジュール。
【請求項１７】
コンベヤベルトにおいて、前記コンベヤベルトが、
前記コンベヤベルトの厚さを画定する第１の面および反対側の第２の面と、
前記コンベヤベルトの第１の面上の壁の開口部によってそれぞれ境界が定められた複数のソケットであって、円筒形の前記壁から前記ソケット内に延在する突出部を有するソケットと、
前記コンベヤベルトの第１の面側の前記ソケットの開口部における前記ソケットの周りのリムであって、レッジを形成するリムと、
複数のアクセサリであって、前記コンベヤベルトの第１の面から前記ソケットと嵌合するように寸法決めされたプラグであって、第１の端部と第２の端部との間に外面を有するプラグと、前記プラグの前記第１の端部から外向きに延在する付属器とをそれぞれが具える複数のアクセサリと、
前記アクセサリと前記ソケットのそれぞれに付随し、前記プラグおよび前記壁の上に第１の協働構造によって形成されたガイド機構であって、前記プラグがツイスト角だけ回転されるときに、前記プラグを前記ソケットに完全に挿入されてロックされた位置へとガイドするガイド機構と、
前記アクセサリおよび前記ソケットのそれぞれに付随し、前記プラグおよび前記レッジの上に第２の協働構造によって形成されたロック機構であって、前記プラグを前記ソケット内に完全に挿入されてロックされた位置で固定するロック機構と、を具え、
前記プラグ上の第２の協働構造が、前記プラグ上の第１の協働構造とは異なるものであることを特徴とするコンベヤベルト。
【請求項１８】
請求項１７に記載のコンベヤベルトにおいて、前記付属器がサイドガードであることを特徴とするコンベヤベルト。
【発明の詳細な説明】
【技術分野】
【０００１】
本発明は、一般的に動力駆動コンベヤに関し、より詳細には着脱可能なアクセサリを具えるコンベヤベルトに関する。
【背景技術】
【０００２】
汎用性、交換性または製造性を目的として、コンベヤベルトは、ベルトに着脱可能なアクセサリを含むことが多い。サイドガード、押さえタブ、フライト、ローラアッセンブリなどがその例として含まれる。モジュラー式のコンベヤベルトのアクセサリは、ヒンジロッドによって保持されることが多く、ヒンジロッドは、ヒンジジョイントでベルトモジュールを相互に連結するために使用される。その場合、アクセサリの取り付けまたは取り外しには、ベルトの部分的な分解が必要とされる。
【発明の概要】
【０００３】
本発明の特徴を具現化するコンベヤベルトモジュールは、モジュール本体およびアクセサリを具える。モジュール本体は、第１の面と、対向する第２の面と、第１の面上のソケット開口部につながる壁とを具える。アクセサリは、ソケットと嵌合する大きさのプラグを具える。プラグは、軸を中心に第１の端部と第２の端部との間に外面を有する。付属器が、プラグの第１の端部から外側に延在する。ガイド機構が、プラグおよび壁上に第１の協働構造によって形成されており、プラグがツイスト角を通して回転させられるとき、ソケットに完全に挿入され、ロックされた位置へとプラグをガイドする。ロック機構は、プラグおよび壁上に第２の協働構造によって形成されており、完全に挿入され、ロックされた位置でプラグをソケットに固定する。
【０００４】
別の態様において、本発明の特徴を具現化するコンベヤベルトは、コンベヤベルトの厚さを規定する第１の面および対向する第２の面と、複数のソケットとを具える。各ソケットは、コンベヤベルトの第１の面に開口する壁によって境界が定められている。突出部が円筒形の壁からソケット内に延在している。複数のアクセサリは、それぞれが第１の端部と第２の端部との間に外面を有するプラグを具えており、それらのプラグは、ソケットと嵌合する大きさになっている。付属器が、各アクセサリのプラグの第１の端部から外側に延在している。アクセサリおよびソケットのそれぞれに関連するガイド機構が、プラグおよび壁上に第１の協働構造によって形成されており、プラグがツイスト角を通して回転させられるとき、ソケットに完全に挿入され、ロックされた位置へとプラグをガイドする。アクセサリおよびソケットのそれぞれに関連するロック機構は、プラグおよび壁上に第２の協働構造によって形成されており、完全に挿入され、ロックされた位置でプラグをソケットに固定する。
【図面の簡単な説明】
【０００５】
【図１】図１は、本発明の特徴を具現化したコンベヤベルトモジュールの一部分およびプラグイン式サイドガードの分解図である。
【図２】図２は、図１のコンベヤベルトモジュールの側縁部の拡大図である。
【図３】図３Ａおよび図３Ｂは、両側から見た図１のサイドガードの不等角投影図である。
【図４】図４Ａおよび図４Ｂは、図１のコンベヤベルトモジュールの側縁部の平面図であり、ロック解除位置とロック位置におけるサイドガードを示している。
【図５】図５Ａおよび図５Ｂは、図１のコンベヤベルトモジュールの不等角投影図であり、モジュールを斜め下および斜め上から見たものである。
【図６】図６は、図１のベルトモジュールから構成されたコンベヤベルトの一部分の平面図である。
【図７】図７Ａは、サイドガードのようなアクセサリのプラグ部分の別の形態の不等角投影図であり、図７Ｂは、コンベヤベルトモジュールの嵌合ソケット部分の不等角投影図である。
【図８】図８Ａは、アクセサリのプラグ部分のさらに別の形態の不等角投影図であり、図８Ｂは、コンベヤベルトモジュールの嵌合ソケット部分の不等角投影図である。
【図９】図９Ａは、ねじ付きの形態のアクセサリのプラグ部分の不等角投影図であり、図９Ｂは、コンベヤベルトモジュールのプラグ部分と嵌合するねじ付きのソケット部分の不等角投影図である。
【発明を実施するための形態】
【０００６】
本発明の特徴を具現化するコンベヤベルトモジュールおよびアクセサリの一部を図１に示す。モジュール１０は、モジュール本体１２を具えており、このモジュール本体１２は、上面１４、当該本体の厚さを挟んで反対側にある下面１５とを有する。モジュール本体１２のソケット１６は、モジュール本体の上面１４と下面１５に開口している。この実施例においては、サイドガードであるアクセサリ１８が、モジュール本体１２のソケット１６内に差し込んで嵌合するよう寸法決めされたプラグ２０を具える。
【０００７】
ソケット１６は、図２により詳細に示すように、壁２２によって境界が定められており、この例においては、円筒形の壁として示されている。しかしながら、この壁は、例えば多角形のような別の形状にすることができる。突出部２４は、壁２２から半径方向外向きにソケット１６内へと延在する。この実施例では、ソケット１６は、モジュール本体１２の上面１４の下に僅かに凹んだリム２６を具える。リム２６は、２つの戻り止め２８がソケット１６を挟んで直径方向に互いに対向するように形成されたレッジを形成する。この実施例では、ソケット１６は、モジュール１０の側縁部３０に配置されている。
【０００８】
図３Ａおよび図３Ｂに示すように、アクセサリ１８は、円形のベース３４から直立するサイドガード付属器３２を具える。プラグ２０は、ベース３４から下方へと、付属器３２から離れる方向に延在している。ベース３４は、円筒形プラグ２０よりも大きな直径を具える。プラグ２０は、平坦な下部３６を一端に持つ。タブ３８のような突起は、プラグ２０からその上端３７で半径方向外向きに、かつベース３４から下方へと延在している。タブ３８は、モジュール本体１２における戻り止め２８（図２）と噛み合い、アクセサリ１８を定位置に固定する。したがって、プラグ構造（タブ３８）およびソケット壁構造（戻り止め２８）は、協働して、ソケット１６内に完全に挿入されたプラグ２０を固定するためのロック機構を形成する。プラグ２０は、この例においては円筒形の外面４０を有しており、ソケット１６の形状と嵌合する。スロット４２は、外面４０内に凹んでいる。
スロット４２は、プラグ２０の下部３６の入口４５から上部３７に向かって延在する頭部分４４を有する。スロット４２の頭部分４４は、より広い終端部分４６へと開口しており、当該終端部分４６は、スロット４２への入口４５から円周方向にオフセットされた盲端４８まで延在する。２つの部分４４、４６は、くの字形に形成されており、この例においては、９０°のくの字を形成する。スロット４２の反対側にある、プラグ２０の外面４０の凹部５０は、ベルトモジュールを隣接するベルトモジュールに連結するヒンジロッドの端部を収容する。
【０００９】
プラグおよびベルトモジュールに関連する用語「上部」および「下部」は、特定の空間的な方向に限定されることを意味するものではない。これらの用語は、本発明の特徴を説明するのを助けるため、図面の向きに関連して使用されている。プラグ２０に関連する場合、用語「上部」は、付属器３２が取り付けられているプラグの側のことを意味する。用語「下部」は、用語「上部」の反対側を意味する。ベルトモジュールに関連する場合、用語「上部」は、モジュールの通常の物品搬送側を意味し、用語「下部」はその反対側を意味する。
【００１０】
図１に示すように、プラグ２０とそれに嵌合するソケット１６により、モジュール１０の平面に垂直なツイスト軸５２を中心に、アクセサリ１８をロック位置へと回転させるか、またはひねることができる。先ず、突出部２４とスロット４２の入口４５とを縦方向に整列させる。次に、プラグ２０をソケット１６に挿入する。突出部２４は、入口４５およびスロット４２の頭部分を通って、当該突出部がスロットのより広い終端部分に受け入れられるまで進む。プラグ２０が完全に挿入されると、タブ３８（図３Ａ）が戻り止め２８（図２）における第１の窪み５７に受け入れられる。この位置は、プラグ２０のロック解除位置である。次に、突出部２４がスロット４２の終端部分の盲端に達するまで、矢印５４が示す向きにアクセサリ１８を回転する。プラグ構造（突出部２４）およびソケット壁構造（スロット４２）は協働して、ソケット１６に対してプラグ２０を挿入および抜去する際にプラグ２０をガイドするガイド機構を形成する。プラグ２０が回転すると、タブ３８は、戻り止め２８の傾斜面５６（図２）に乗り上げて隆起５５に向かう。スロットおよび戻り止めは、突出部およびタブをガイドするのを助ける。突出部２４がスロット４２の端部に達すると、タブ３８は、隆起５５から第２の窪み５８（図２）へと降りて、モジュール本体１２における所定の位置にプラグ２０を固定する。スロット４２および戻り止め２８が図１および図２に示すように寸法決めされている場合、図４Ａにおけるロック解除位置から図４Ｂにおける完全に挿入されたロック位置へと、モジュール本体１２において約３０°のツイスト角だけでアクセサリ１８をひねる必要がある。
【００１１】
図５Ａに示すように、アクセサリ１８がロック位置にあるとき、ベース３４は、凹んだリム２６上に位置する。ベース３４は、モジュール本体１２の上面１４と同一平面上にある。図５Ａは、戻り止め２８の固定用の窪み５８内にあるタブ３８の１つをさらに示している。アクセサリが固定されると、スロット、突出部、タブおよび戻り止めの相対的な位置（配置）により、付属器が確実に位置合わせされる。図５Ｂに示すように、完全に挿入されてロックされたプラグ２０の下部３６は、モジュール本体１２の下面１５と同一平面上にある。アクセサリ１８は、プラグ２０を図１に示された矢印５４と反対の方向にひねるか、または回すことにより取り外すことができる。タブ３８は、隆起５５の急勾配のブロック面６０（図２）を傾斜面５６の頂点まで登り、アクセサリ１８のロックを解除する。そのまま回し続けると、タブ３８が第１の戻り止め窪み５７に移動する。タブ３８が第１の窪み５７にあるとき、突出部２４が、ロック解除位置にあるスロット４２への入口４５と整列する。その後、プラグ２０をソケット１６から引き抜くことができる。
【００１２】
図６は、図１と同様のベルトモジュール１０で構成されたコンベヤベルト６２の断面を示している。ベルトモジュール１０は、両端部に沿ってヒンジアイ６４、６５を具える。ヒンジアイ６４の整列した開口部を通って延在するヒンジロッド６６は、モジュール１０を相互に連結して、コンベヤベルト６２を形成する。ロックされたサイドガード付属器３２は、２つの横方向にオフセットされたパネル６８、６９を具えており、隣接するモジュールのサイドガードが、干渉することなく重なり合うことを可能にする。
【００１３】
図７Ａおよび図７Ｂは、僅かに異なる例のプラグ２０’およびソケット１６’を示している。この例において、プラグ２０’は、ソケット１６’の円筒形の壁２２’から半径方向外向きに突出する４つの突出部７２を受け入れる４つのスロット７０を具える。また、くの字形のスロット７０は、終端スロット部分の端部７８で突出部７２を固定するために、終端部分７６に沿って戻り止め７４を有する。この例では、プラグのスロット７０および壁の突出部７２が、プラグ２０’の挿入および抜去のためのガイド機構と、プラグをソケット１６’に完全に挿入して固定するロック機構との両方を構成する。図５Ａのような追加のタブおよび戻り止めは任意である。
【００１４】
図８Ａおよび図８Ｂは、さらに別のソケットプラグの構成を示している。このバージョンでは、プラグ２０”は、プラグの外面４０”から半径方向外側に突出する突出部８０を具える。ソケット１６”は、突出部８０を受け入れる大きさのくの字形のスロット８２をその円筒壁２２”に有する。プラグ構造（突出部８０）およびソケットの壁構造（スロット８２）は、協働して、プラグ２０”を挿入および抜去するためのガイド機構を形成する。ソケット１６”のリム２６”は、少なくとも１つのタブ８４を有しており、タブ８４は、アクセサリ付属器（図示せず）が取り付けられているベース８８の下側にあるプラグ２０”の上部の少なくとも１つの戻り止め８６と係合する。ソケットリム構造（タブ８４）およびプラグ構造（戻り止め８６）は、協働して、完全に挿入されたプラグ２０”をソケット１６”内に固定するためのロック機構を形成する。その他の例と同様に、突出部８０がスロット８２の終端にあるとき、戻り止め８６がプラグ２０”を定位置に固定するように、突出部８０、スロット８２、タブ８４および戻り止め８６が配置される。
【００１５】
図９Ａおよび図９Ｂは、ねじ付きのソケットプラグの構成を示しており、プラグ９２の外面９０およびソケット９５の壁９４の両方にねじが形成されている。この実施例において、壁９４は、雌ねじ９６を具えており、この雌ねじが、壁に螺旋状の凹状軌道を形成する谷底部を有し、プラグ９２の外面９０は、雄ねじ９８を具えており、そのねじ山の頂が、ソケットのねじ９６に受け入れられる螺旋状の突起を形成している。２つの係合するねじ９６、９８はともに、ソケット９５への挿入中およびソケットからの抜去中にプラグ９２をガイドするガイド機構を形成する。一組の噛み合うねじのみが示されているが、複数組であってもよい。突出部とスロットの例と同様に、ねじ込み式のねじ付きプラグ９２は、ソケット９５内の適所にねじ込まれる。図示されてはいないが、プラグ９２およびソケット９５は、完全に挿入されたプラグを定位置に固定するために、戻り止めなどのロック機構を形成する協働構造を具えることができる。代替的にソケットが、雌ねじ付きプラグと係合する雄ねじを具えることができる。この例では、プラグを完全に挿入または抜去するために、プラグ９２を約１８０°回転させる。例示した実施例はすべて、完全に挿入するために、１８０°またはそれ以下のツイスト角だけ、ツイスト軸を中心にプラグを回転させるか、ひねる必要があった。ツイスト角は、ソケット壁またはプラグ外面における凹状軌道（雌ねじの谷底部またはスロット）の円周範囲によって決定される。しかしながら、ねじのピッチを減少させて、ソケット壁とプラグの周りにより多くのラップ（ｗｒａｐｓ）を与えることもできる。その場合、ツイスト角は１８０°を超えるが、取り付けはよりしっかりとしたものとなる。
【００１６】
本発明は、いくつかの例を参照しながら詳細に説明してきたが、他の例も可能である。例えば、スロットおよび戻り止めは、プラグとモジュール本体の両方に形成することができる。別の実施例として、サイドガード以外の付属器（いくつか例を挙げると、押さえ、フライト、レーン仕切り、高摩擦インサート、フック、ガイド）をプラグに取り付けることができる。また、プラグがベルトの上側からではなくベルトの下側から挿入されるようにソケットを作ることも可能である。さらにプラグは、ソケット内のスロットおよび突出部と嵌合する突出部およびスロットの両方を具えることができる。したがって、これらのいくつかの例が示唆するように、特許請求の範囲は、詳細に記載された例示的なバージョンに限定されることを意味するものではない。
【図１】
0006802257.tif 000002
【図２】
0006802257.tif 000003
【図３Ａ】
0006802257.tif 000004
【図３Ｂ】
0006802257.tif 000005
【図４Ａ】
0006802257.tif 000006
【図４Ｂ】
0006802257.tif 000007
【図５Ａ】
0006802257.tif 000008
【図５Ｂ】
0006802257.tif 000009
【図６】
0006802257.tif 000010
【図７Ａ】
0006802257.tif 000011
【図７Ｂ】
0006802257.tif 000012
【図８Ａ】
0006802257.tif 000013
【図８Ｂ】
0006802257.tif 000014
【図９Ａ】
0006802257.tif 000015
【図９Ｂ】
0006802257.tif 000016